(57)【要約】【課題】容器製造工程と包装化工程を分離し得る構成とし、展開状態で便利に運搬、保管でき、包装時に容器を立体化するだけで被収納物を簡便に収納し安定的に保持することができるようにした。【解決手段】箱の四側面となる各板部１〜４を罫線５で連設し、背面板部４の側縁に側面板部以下の幅の折込み片８を連設し、その罫線中間部に差込み孔９を、左側面板部２の折込み片１０に直交状に係止片１１を、左側面板部２の開放側縁の中間部に差込み孔９に差込む係止片１２を各連設し、正面板部１の上方に罫線５を介して正面板部以下の面積の保持面部１３を連設し、保持面部１３内には被収納物の収容部１４を、正面板部１内には収容部１４と対称位置に被収納物部分の支持部１５を各凹凸形成し、保持面部１３を折返して正面板部１の内側面に接合した状態で、収容部１４と支持部１５が嵌合状態となるように形成した。【選択図】      図１
2004256117.tif 000002
【特許請求の範囲】
【請求項１】
折り曲げ罫線を設けたプラスチックシートを折曲する組立容器であって、正面板部と背面板部の一側を罫線及び側面板部を介して連設し、この対向側に対向側面板部を罫線を介して連設するとともに、該対向側部を開閉構成の開閉側部となし、正面板部又は背面板部の他側に蓋片を連設するとともに、被収納物の保持面部を容器内に折込み可能に罫線を介して連設してなる構成を有するプラスチックシート組立容器。
【請求項２】
保持面部内には被収納物の収容部を形成し、保持面部はこれを連設した正面板部又は背面板部の内側面に接面可能に形成してなる請求項１に記載のプラスチックシート組立容器。
【請求項３】
保持面部を連設した正面板部又は背面板部の面内に、保持面部の収容部が嵌合可能な被収納物の支持部を凹凸形成してなる構成を有する請求項２に記載のプラスチックシート組立容器。
【発明の詳細な説明】
【０００１】
【発明の属する技術分野】
本発明は、被収納物を保持可能な保持板部を形成したプラスチックシート製の組立容器に関する。
【０００２】
【従来の技術】
透明性が良好で剛性もあるＡ―ＰＥＴ（アモルファスポリエチレンテレフタレート）などのプラスチックシートに折り曲げ罫線を設けてなる組立容器が造られている。従来のこの種の容器は、例えば特許文献１の如く、折り曲げ罫線を介して正背面板部，左右側面板部、糊代部を連設し、正面乃至背面板部から上下に折り曲げ罫線を介して蓋片を連設し、いずれかの板部乃至片の端から罫線を介してフラップを延設し、このフラップには容器内に収納した物品を固定する受け孔を開口形成してあり、容器を組立てて糊代部を接着して、固定した箱を形成し、箱内に物品を収納した上で、フラップを容器内に折込み、容器内周面すなわち四側面板部の各内面にフラップを密接するように圧入して固定し、同時に収納した物品を保持させるようにした構成のものであった。
【０００３】
【特許文献１】
特開２００１−１３９０１９号公報
【０００４】
【発明が解決しようとする課題】
上記のような構成であると、容器を組立て立体化させた後、被収納物を収納した上でフラップを折曲げる作業、折曲げたもので被収納物を保持させながら圧入して固定する作業などが必要であり、容器（シート）の製造工程と、被収納物を収納する包装化工程とを分離し難く、これらを同一工場内の一連の工程で処理せざるを得ず、容器製造乃至流通工程を十分に合理化し難い問題があった。また、折り畳み状態のプラスチックシートを取引化することもできにくかった。
【０００５】
本発明者は、上記問題点に着眼し、容器（シート）の製造工程と、被収納物を収納する包装化工程とを分離できるようにした構成の容器を提供し、展開状態で便利に運搬、保管でき、被収納物の包装時には容器を立体化するだけで被収納物を簡便に収納し、安定的に保持することができるプラスチックシート組立容器を提供せんとするものである。
【０００６】
【課題を解決するための手段】
上記課題を解決するために、本発明は、折り曲げ罫線（以下、単に罫線という）を設けたプラスチックシートを折曲する組立容器であって、正面板部と背面板部の一側を罫線及び側面板部を介して連設し、この対向側に対向側面板部を罫線を介して連設するとともに、該対向側部を開閉構成の開閉側部となし、正面板部又は背面板部の他側に蓋片を連設するとともに、被収納物の保持面部を容器内に折込み可能に罫線を介して連設してプラスチックシート組立容器を構成したことを特徴とする。
【０００７】
上記開閉側部は、一例として、対向側面板部を連設しない正面板部又は背面板部の側部に、この側面板部と接面する折込み片を連設し、該側面板部と折込み片に係止部を形成した構成とすることができる。
保持面部内には被収納物の収容部を側面板部の幅内に納まるように形成し、保持面部はこれを連設した正面板部又は背面板部の内側面に接面可能に形成するのが好ましい。
また、保持面部を連設した正面板部又は背面板部の面内に、保持面部の収容部が嵌合可能な被収納物の支持部を凹凸形成した構成とするのが好ましい。
【０００８】
【発明の実施の形態】
以下、本発明の一例としての実施の形態を図面によって説明する。
図１は本発明に係るプラスチックシートの一実施形態の展開図、図２、３は被収納物の収容部部分を示す断面図、図４はシートの組立て状態を示す斜視図、図５は組立容器の断面図である。
【０００９】
図１は、直方体箱状の組立容器を形成するためのプラスチックシートであり、Ａ−ＰＥＴ、ポリプロピレン、ポリエチレン、ポリカーボネート、生分解性樹脂例えばポリ乳酸、その他の単体又は複合体としてなるプラスチックシート材を加圧加工し、輪郭を打ち抜き加工して形成してある。
【００１０】
このシートは、直方体箱状の四側面を構成する正面板部１、左右側面板部２，３、背面板部４を罫線５を介して連設し、背面板部４の上下に罫線５を介して蓋片６，６を、蓋片の各先端に罫線を介して差込み片７，７を連設し、背面板部４の側縁には他端に位置する左側面板部２の幅以下の幅を有する折込み片８を罫線５を介して連設し、折込み片８を形成した罫線５の中間部には切込み筋状の差込み孔９を形成し、左右側面板部２，３の上下にはそれぞれ罫線５を介して折込み片１０，１０を連設し、左側面板部２の折込み片１０には張出し方向と直交する外側方向に（鈎状に）罫線５を介して係止片１１を連設し、左側面板部２の開放側縁の中間部には罫線を介して前記差込み孔９に差込み係止可能な係止片１２を突設してある。
【００１１】
さらに、正面板部１の上方に罫線５を介して、正面板部以下の面積を有する保持面部１３を連設し、保持面部１３内には被収納物がほぼ一杯に納まり得る収容部１４を、圧空真空成形などの熱成形によって左右側面板部２、３の幅分以下の凹凸程度で形成し、正面板部１内には該罫線５を軸線として上記収容部１４と線対称位置に、被収納物の正面側部分を支持する支持部１５を、圧空真空成形などの熱成形によって正面板部１の外方に突出しないように凹凸形成し、保持面部１３を罫線で折り返して正面板部１の内側面に接合した状態で、収容部１４と支持部１５が嵌合状態となるように形成してある。
【００１２】
図では、支持部１５は、被収納物の周縁部の四隅を嵌め込み得るとともに外側に収容部１４が被嵌し得るように内方突起１５ａを形成し、かつその内方に、被収納物を正面板部内側面から僅かに浮かした状態で定置し得るように僅かな内方突条１５ｂを形成してある。
なお、上記構成においては、正背面いずれを正面としてもよく、上下を逆にし、或いは左右と上下の向きを変えて縦型を横型としてもよく、このような使用状態の変更は任意であり、また、収容部、支持部は被収納物に対応して図示以外の丸形その他の任意形態とすることができ、これらは当然に本発明に含まるものである。
【００１３】
上記構成のプラスチックシートは、以下のようにして組立容器とすることができる。
各罫線はいずれも内折される。被収納物を支持部１５に支持させ或いは収容部１４に納めつつ、保持面部１３を罫線５で折曲して正面板部１の内側面に接面させ、次いで、左右側面板部２，３と背面板部４を折曲し、折込み片８を左側面板部２の内側に差し込んで接面させ、係止片１２を折込み片付け根部の差込み孔９に差し込むと、箱形が形成される。その上で、各折込み片１０を折込み、同時に先端の係止片１１を差し込むと、係止片１１は背面板部４の内面に沿い、左側面板部２の内側に接面した折込み片８の内側付け根部に直交状態で係止し、上記箱形の解体を阻止するロック機能を果すものとなる。差込み片７を差し込んで蓋片６を閉じれば組立容器が完成する。
【００１４】
被収納物は、四側面板部による外側容器と、収容部１４、支持部１５による二重包装状態で保護されると同時に外部から遮断されるので、盗難防止と汚れ防止ができ、収容部１４と支持部１５の凹凸が外部衝撃に対して緩衝機能するから、被収納物の損傷を防止でき、しかも被収納物の出入は、保持面部１３の開閉と三方開き構成の容器の組立によって行なわれるので、隙間から無理やり押し込んで収納するごとき操作を一切行なうことなく、簡便、迅速かつ安全に行なうことができる。また、上記構成により、運搬、保管性がよく、取り扱いに優れている。
被収納物は支持部により正面板部のみを透過して直接目視することができるので、二重包装状態でありながら、被収納物の展示効果は高いものとなる。また、その分だけ他の面への表示、着色などが自由に行うことができるものとなる。
【００１５】
なお、上記実施形態の説明は一例を示したものであり、例えば、保持板部を正面板部の面積の半分以下として、上下両方に罫線を介して連設し、正面板部内に対応して二つの支持部を形成することにより、収容部を二つ形成することもでき、本発明はそれらを含むものである。
【００１６】
【発明の効果】
上記構成によれば、容器（シート）の製造工程と、被収納物を収納する包装化工程とを分離できるようにした構成の容器を提供し、展開状態で便利に運搬、保管でき、被収納物の包装時には容器を立体化するだけで被収納物を簡便に収納し、安定的に保持することができるプラスチックシート組立容器を提供することができる。
【図面の簡単な説明】
【図１】本発明に係るプラスチックシートの一実施形態を示す内側面の展開図である。
【図２】図１のＩＩ−ＩＩ線の収容部部分を示す断面図である。
【図３】図２の部分を折曲し収容状態を示した部分断面図である。
【図４】図１のプラスチックシートの組立て状態を示す斜視図である。
【図５】図４の組立容器であって、収容部位置の断面図である。
【符号の説明】
１        正面板部
２、３    左右側面板部
４        背面板部
５        罫線
６        蓋片
７        差込み片
８        折込み片
９        差込み孔
１０        折込み片
１１        係止片
１２        係止片
１３        保持面部
１４        収容部
１５        支持部
【図１】
2004256117.tif 000003
【図２】
2004256117.tif 000004
【図３】
2004256117.tif 000005
【図４】
2004256117.tif 000006
【図５】
2004256117.tif 000007